(57)【特許請求の範囲】
【請求項１】
表面にカチオン性官能基を有する疎水性架橋共重合体粒子からなる基材粒子を含有し、該疎水性架橋共重合体がジビニル芳香族単量体と、ビニル基を２個以上有する非芳香族疎水性架橋性単量体と、反応性官能基を有する単量体とを含む、メチル化ＤＮＡ分離及び／又は検出用イオン交換クロマトグラフィー用充填剤。
【請求項２】
前記ジビニル芳香族単量体がジビニルベンゼン、ジビニルナフタレン、ジビニルアントラセン、ジビニルトルエン、ジビニルキシレン、及びジビニルビフェニルからなる群より選択される、請求項１記載のイオン交換クロマトグラフィー用充填剤。
【請求項３】
前記反応性官能基がグリシジル基又はイソシアネート基である、請求項１又は２記載のイオン交換クロマトグラフィー用充填剤。
【請求項４】
前記ビニル基を２個以上有する非芳香族疎水性架橋性単量体が、ジエチレングリコールジメタクリレート、トリエチレングリコールジメタクリレート、テトラエチレングリコールジメタクリレート、トリメチロールメタントリメタクリレート、テトラメチロールメタントリメタクリレート、ジエチレングリコールジアクリレート、トリエチレングリコールジアクリレート、テトラエチレングリコールジアクリレート、トリメチロールメタントリアクリレート、及びテトラメチロールメタントリアクリレートからなる群より選択される少なくとも１種である、請求項１〜３のいずれか１項記載のイオン交換クロマトグラフィー用充填剤。
【請求項５】
前記疎水性架橋共重合体が、全質量中に、前記ジビニル芳香族単量体を３〜１５質量％、前記非芳香族疎水性架橋性単量体を４０〜７０質量％、及び前記反応性官能基を有する単量体を１０〜５０質量％含有する、請求項１〜４のいずれか１項記載のイオン交換クロマトグラフィー用充填剤。
【請求項６】
前記疎水性架橋共重合体が、さらに疎水性非架橋性単量体を全質量中に０〜５質量％含む、請求項１〜５のいずれか１項記載のイオン交換クロマトグラフィー用充填剤。
【請求項７】
前記疎水性架橋共重合体における、（Ａ）前記ジビニル芳香族単量体と、（Ｂ）前記非芳香族疎水性架橋性単量体と、（Ｃ）前記反応性官能基を有する単量体と、（Ｄ）前記疎水性非架橋性単量体との比率が、質量比で（Ａ）：（Ｂ）：（Ｃ）：（Ｄ）＝５〜１２：５５〜６５：２０〜３５：０〜５（ただし（Ａ）＋（Ｂ）＋（Ｃ）＋（Ｄ）＝１００）である、請求項６記載のイオン交換クロマトグラフィー用充填剤。
【請求項８】
前記ジビニル芳香族単量体がジビニルベンゼンである、請求項１〜７のいずれか１項記載のイオン交換クロマトグラフィー用充填剤。
【請求項９】
前記ジビニル芳香族単量体がジビニルベンゼンであり、前記非芳香族疎水性架橋性単量体がトリエチレングリコールジメタクリレート、トリメチロールメタントリアクリレート及びペンタエリスリトールトリアクリレートから選択される少なくとも１種であり、前記反応性官能基を有する単量体がグリシジルメタクリレート又はイソシアネートエチルメタクリレートであり、前記疎水性非架橋性単量体が含有なしか又はスチレンである、請求項８記載のイオン交換クロマトグラフィー用充填剤。
【請求項１０】
前記カチオン性官能基が強カチオン性基及び弱カチオン性基である、請求項１〜９のいずれか１項記載のイオン交換クロマトグラフィー用充填剤。
【請求項１１】
前記強カチオン性基が４級アンモニウム基であり、前記弱カチオン性基が３級アミノ基である、請求項１０記載のイオン交換クロマトグラフィー用充填剤。
【請求項１２】
前記基材粒子が表面に前記強カチオン性基と前記弱カチオン性基とを有する重合体層を有する、請求項１０又は１１記載のイオン交換クロマトグラフィー用充填剤。
【請求項１３】
請求項１〜１２のいずれか１項記載のイオン交換クロマトグラフィー用充填剤を含む、メチル化ＤＮＡ分離及び／又は検出用イオン交換クロマトグラフィー用カラム。
【請求項１４】
請求項１〜１２のいずれか１項記載のイオン交換クロマトグラフィー用充填剤を用いるメチル化ＤＮＡの分離及び／又は検出方法。
【発明の詳細な説明】
【技術分野】
【０００１】
本発明は、メチル化ＤＮＡの分離及び／又は検出に用いるクロマトグラフィー用充填剤に関する。
【背景技術】
【０００２】
ＤＮＡメチル化は、最も一般的に観察される発がんに伴うエピジェネティックな変化の１つである。がん細胞における特徴的なエピジェネティック異常として、ＣｐＧアイランドの異常なＤＮＡメチル化が知られている。ＣｐＧアイランドは、ホスホジエステル結合（ｐ）を介したシトシン（Ｃ）−グアニン（Ｇ）の２塩基配列が高頻度で出現する領域であり、遺伝子上流のプロモーター領域に存在することが多い。ＣｐＧアイランドの異常なＤＮＡメチル化は、がん抑制遺伝子の不活化などを通じて発がんに関与する。【０００３】
メチル化ＤＮＡの解析方法としては、亜硫酸水素塩（ｂｉｓｕｌｆｉｔｅ）法を利用した方法が既に確立されている。一本鎖ＤＮＡを亜硫酸水素塩で処理すると、シトシンはウラシルに変換されるが、メチル化されたシトシンはシトシンのままである。従って、亜硫酸水素塩処理をしたＤＮＡをＰＣＲにかけると、メチル化シトシンはシトシンのまま増幅されるが、非メチル化シトシンは、ウラシルからチミンに置き換わって増幅されるため、ＤＮＡのメチル化によりＰＣＲ増幅産物の配列に違いが生じる。従来のメチル化ＤＮＡの解析方法では、このＰＣＲ増幅産物の配列の違いを電気泳動やシークエンシングで検出することが一般的であった。しかしながら、これらの方法は、電気泳動やシークエンシングに手間と時間がかかるという欠点があった。【０００４】
生化学や医学等の分野においては、核酸、タンパク質、多糖類といった生体高分子を簡便かつ精度良く分離及び検出できる方法として、イオン交換クロマトグラフィーが汎用されている。核酸をイオン交換クロマトグラフィー分離する場合、一般的には、核酸分子中のリン酸のマイナス電荷を利用して核酸を分離するアニオン交換クロマトグラフィーが用いられる。アニオン交換クロマトグラフィーのカラム充填剤に使用されるカチオン性官能基としては、ジエチルアミノエチル基等の弱カチオン性基、４級アンモニウム基等の強カチオン性基がある。さらに特許文献１には、官能基として強カチオン性基及び弱カチオン性基の両方を有するカラム充填剤を用いたイオン交換クロマトグラフィーにより、２０ｍｅｒのオリゴヌクレオチド間における一塩基の相違を検出することができたことが開示されている。【０００５】
特許文献２には、サンプルＤＮＡを亜硫酸水素塩で処理した後ＰＣＲ増幅し、増幅産物を、官能基として強カチオン性基及び弱カチオン性基の両方を有するカラム充填剤を用いたイオン交換クロマトグラフィーにかけることで、サンプルＤＮＡのメチル化を検出する方法が開示されている。これは、従来の電気泳動やシークエンシングを用いた方法と比べて、簡便かつ短時間でのメチル化ＤＮＡの解析を可能にする優れた方法である。
【先行技術文献】
【特許文献】
【０００６】
【特許文献１】国際公開公報第２０１２／１０８５１６号
【特許文献２】国際公開公報第２０１４／１３６９３０号
【発明の概要】
【発明が解決しようとする課題】
【０００７】
特許文献２のようなイオン交換クロマトグラフィーを用いたメチル化ＤＮＡの検出方法においては、検出精度の向上のため、クロマトグラフィーにおけるメチル化ＤＮＡのピークと非メチル化ＤＮＡのピークの分離度をより大きくすることが求められている。本発明は、高精度にメチル化ＤＮＡを分離及び／又は検出することができるクロマトグラフィー用充填剤を提供する。
【課題を解決するための手段】
【０００８】
本発明は、以下を提供する。
〔１〕表面にカチオン性官能基を有する疎水性架橋共重合体粒子からなる基材粒子を含有し、該疎水性架橋共重合体がジビニル芳香族単量体を含む、メチル化ＤＮＡ分離及び／又は検出用イオン交換クロマトグラフィー用充填剤。
〔２〕前記ジビニル芳香族単量体がジビニルベンゼン、ジビニルナフタレン、ジビニルアントラセン、ジビニルトルエン、ジビニルキシレン、及びジビニルビフェニルからなる群より選択される、〔１〕記載のイオン交換クロマトグラフィー用充填剤。
〔３〕前記疎水性架橋共重合体が、全質量中に前記ジビニル芳香族単量体を３〜１５質量％含有する、〔１〕又は〔２〕記載のイオン交換クロマトグラフィー用充填剤。
〔４〕前記疎水性架橋共重合体が、前記ジビニル芳香族単量体と、ビニル基を２個以上有する非芳香族疎水性架橋性単量体と、反応性官能基を有する単量体とを含む、〔１〕〜〔３〕のいずれか１項記載のイオン交換クロマトグラフィー用充填剤。
〔５〕前記反応性官能基がグリシジル基又はイソシアネート基である、〔４〕記載のイオン交換クロマトグラフィー用充填剤。
〔６〕前記ビニル基を２個以上有する非芳香族疎水性架橋性単量体が、ジエチレングリコールジメタクリレート、トリエチレングリコールジメタクリレート、テトラエチレングリコールジメタクリレート、トリメチロールメタントリメタクリレート、テトラメチロールメタントリメタクリレート、ジエチレングリコールジアクリレート、トリエチレングリコールジアクリレート、テトラエチレングリコールジアクリレート、トリメチロールメタントリアクリレート、及びテトラメチロールメタントリアクリレートからなる群より選択される少なくとも１種である、〔４〕又は〔５〕記載のイオン交換クロマトグラフィー用充填剤。
〔７〕前記疎水性架橋共重合体が、全質量中に、前記ジビニル芳香族単量体を３〜１５質量％、前記非芳香族疎水性架橋性単量体を４０〜７０質量％、及び前記反応性官能基を有する単量体を１０〜５０質量％含有する、〔１〕〜〔６〕のいずれか１項記載のイオン交換クロマトグラフィー用充填剤。
〔８〕前記疎水性架橋共重合体が、さらに疎水性非架橋性単量体を全質量中に０〜５質量％含む、〔１〕〜〔７〕のいずれか１項記載のイオン交換クロマトグラフィー用充填剤。
〔９〕前記カチオン性官能基が強カチオン性基及び弱カチオン性基である、〔１〕〜〔８〕のいずれか１項記載のイオン交換クロマトグラフィー用充填剤。
〔１０〕前記強カチオン性基が４級アンモニウム基であり、前記弱カチオン性基が３級アミノ基である、〔９〕記載のイオン交換クロマトグラフィー用充填剤。
〔１１〕前記基材粒子が表面に前記強カチオン性基と前記弱カチオン性基とを有する重合体層を有する、〔９〕又は〔１０〕記載のイオン交換クロマトグラフィー用充填剤。
〔１２〕〔１〕〜〔１１〕のいずれか１項記載のイオン交換クロマトグラフィー用充填剤を含む、メチル化ＤＮＡ分離及び／又は検出用イオン交換クロマトグラフィー用カラム。
〔１３〕〔１〕〜〔１１〕のいずれか１項記載のイオン交換クロマトグラフィー用充填剤を用いるメチル化ＤＮＡの分離及び／又は検出方法。
【発明の効果】
【０００９】
本発明のイオン交換クロマトグラフィー用充填剤は、アニオン交換クロマトグラフィーにおけるメチル化ＤＮＡのピークと非メチル化ＤＮＡのピークの分離度の増大を実現し、メチル化ＤＮＡの検出精度を向上させる。
【図面の簡単な説明】
【００１０】
【図１】実施例１及び比較例１〜２の基材粒子を用いたイオン交換クロマトグラフィー分析により得られた、サンプルＤＮＡのクロマトグラム。
【発明を実施するための形態】
【００１１】
本発明は、メチル化ＤＮＡの分離及び／又は検出に使用するためのイオン交換クロマトグラフィー用充填剤を提供する。該本発明の充填剤は、表面にカチオン性官能基を有する基材粒子を含有し、アニオン交換クロマトグラフィーに好適に使用される。
【００１２】
本発明の充填剤に含まれる基材粒子は、合成有機高分子からなる疎水性架橋重合体を含有し、より詳細にはジビニル芳香族単量体（Ａ）を含む疎水性架橋共重合体を含有する。好ましくは、本発明の充填剤に含まれる基材粒子は、表面にカチオン性官能基を有する当該疎水性架橋共重合体からなる。
【００１３】
当該疎水性架橋共重合体は、該ジビニル芳香族単量体（Ａ）に加えて、非芳香族疎水性架橋性単量体（Ｂ）と、反応性官能基を有する単量体（Ｃ）とを含む。さらに、疎水性非架橋性単量体（Ｄ）を含有していてもよい。したがって、該疎水性架橋共重合体は、該（Ａ）と（Ｂ）と（Ｃ）とを共重合して得られる疎水性架橋共重合体であってもよく、又は該（Ａ）と（Ｂ）と（Ｃ）と（Ｄ）とを共重合して得られる疎水性架橋共重合体であってもよい。
【００１４】
当該ジビニル芳香族単量体（Ａ）の例としては、ジビニルベンゼン、ジビニルナフタレン、ジビニルアントラセン、ジビニルトルエン、ジビニルキシレン、ジビニルビフェニル等が挙げられる。上記に例示したジビニル芳香族（Ａ）は、いずれか単独で使用されてもよく、いずれか２種以上の組み合わせで使用されてもよい。好ましくは、ジビニル芳香族（Ａ）はジビニルベンゼンである。
【００１５】
当該非芳香族疎水性架橋性単量体（Ｂ）としては、単量体１分子中にビニル基を２個以上有する非芳香族化合物であれば特に限定されず、例えば、ジエチレングリコールジメタクリレート、トリエチレングリコールジメタクリレート、テトラエチレングリコールジメタクリレート、トリメチロールメタントリメタクリレート、テトラメチロールメタントリメタクリレート、ジエチレングリコールジアクリレート、トリエチレングリコールジアクリレート、テトラエチレングリコールジアクリレート、トリメチロールメタントリアクリレート、テトラメチロールメタントリアクリレート等が挙げられる。上記に例示した単量体（Ｂ）は、いずれか単独で使用されてもよく、いずれか２種以上の組み合わせで使用されてもよい。より好ましい例としては、トリエチレングリコールジメタクリレート、テトラエチレングリコールジメタクリレート、トリメチロールメタントリアクリレートからなる群より選択される少なくとも１種が挙げられる。
【００１６】
当該反応性官能基を有する単量体（Ｃ）における反応性官能基としては、グリシジル基又はイソシアネート基が好ましく、グリシジル基がより好ましい。該単量体（Ｃ）の例としては、グリシジルメタクリレート、グリシジルアクリレート、イソシアネートエチルメタクリレート、イソシアネートエチルアクリレート等が挙げられ、好ましくはグリシジルメタクリレートが挙げられる。上記に例示した単量体（Ｃ）は、いずれか単独で使用されてもよく、いずれか２種以上の組み合わせで使用されてもよい。
【００１７】
当該疎水性非架橋性単量体（Ｄ）としては、疎水性の性質を有する非架橋性の重合性有機単量体であれば特に限定されず、例えば、メチルメタクリレート、メチルアクリレート、エチルメタクリレート、エチルアクリレート、ブチルメタクリレート、ブチルアクリレート、ｔ−ブチルメタクリレート、ｔ−ブチルアクリレート等のメタクリル酸エステル及びアクリル酸エステル、スチレン、メチルスチレン等のスチレン系単量体、ならびにそれらの組み合わせが挙げられる。
【００１８】
当該疎水性架橋共重合体を構成する単量体（Ａ）〜（Ｄ）の好ましい組み合わせの例としては、（Ａ）ジビニルベンゼン、（Ｂ）トリエチレングリコールジメタクリレート、トリメチロールメタントリアクリレート及びペンタエリスリトールトリアクリレートから選択される少なくとも１種、（Ｃ）グリシジルメタクリレート又はイソシアネートエチルメタクリレート、及び（Ｄ）なし又はスチレンが挙げられる。より好ましい組み合わせの例としては、（Ａ）ジビニルベンゼン、（Ｂ）トリエチレングリコールジメタクリレート及びトリメチロールメタントリアクリレート、（Ｃ）グリシジルメタクリレート又はイソシアネートエチルメタクリレート、及び（Ｄ）なし又はスチレンが挙げられる。さらに好ましい組み合わせは、（Ａ）ジビニルベンゼン、（Ｂ）トリエチレングリコールジメタアクリレート及びトリメチロールメタントリアクリレート、及び（Ｃ）グリシジルメタクリレートである。
【００１９】
当該疎水性架橋共重合体における該ジビニル芳香族単量体（Ａ）の含有量は、その全質量中に好ましくは３〜１５質量％、より好ましくは５〜１２質量％、さらに好ましくは６〜１１質量％である。当該疎水性架橋共重合体における該非芳香族疎水性架橋性単量体（Ｂ）の含有量は、その全質量中に好ましくは４０〜７０質量％、より好ましくは５５〜６５質量％である。当該疎水性架橋共重合体における該反応性官能基を有する単量体（Ｃ）の含有量は、その全質量中に好ましくは１０〜５０質量％、より好ましくは２０〜３５質量％である。当該疎水性架橋共重合体における該疎水性非架橋性単量体（Ｄ）の含有量は、その全質量中に好ましくは０〜５質量％である。また、該疎水性架橋共重合体における該単量体（Ａ）〜（Ｄ）の比率（質量比）は、好ましくは（Ａ）：（Ｂ）：（Ｃ）：（Ｄ）＝５〜１２：５５〜６５：２０〜３５：０〜５（ただし（Ａ）＋（Ｂ）＋（Ｃ）＋（Ｄ）＝１００）である。
【００２０】
当該単量体（Ａ）〜（Ｃ）から疎水性架橋共重合体を製造する手順の好ましい例は、以下のとおりである：攪拌機付き反応器中の５重量％ポリビニルアルコール水溶液に、所定の比率の該単量体（Ａ）、（Ｂ）及び（Ｃ）、ならびに開始剤として過酸化ベンゾイルを添加する。得られた混合物を攪拌しながら窒素雰囲気下にて８０℃で１時間加熱し、（Ａ）〜（Ｃ）を重合させる。当該単量体（Ａ）〜（Ｄ）を重合させる場合は、該（Ａ）〜（Ｃ）を含む混合物に、さらに該単量体（Ｄ）を所定の比率で添加し、上記と同様に加熱撹拌して該（Ａ）〜（Ｄ）を重合させればよい。
【００２１】
本発明の充填剤において、基材粒子の表面に存在する該カチオン性官能基の種類は、特に限定されないが、好ましくは強カチオン性基を含み、より好ましくは強カチオン性基と弱カチオン性基の両方である。
【００２２】
本明細書において、強カチオン性基とは、ｐＨが１から１４の広い範囲で解離するカチオン性基を意味する。すなわち、該強カチオン性基は、水溶液のｐＨに影響を受けず解離した（カチオン化した）状態を保つことが可能である。
【００２３】
当該強カチオン性基としては、４級アンモニウム基が挙げられる。具体的には例えば、トリメチルアンモニウム基、トリエチルアンモニウム基、ジメチルエチルアンモニウム基等のトリアルキルアンモニウム基などが挙げられる。また、当該強カチオン性基のカウンターイオンとしては、例えば、塩化物イオン、臭化物イオン、ヨウ化物イオン等のハロゲン化物イオンが挙げられる。
【００２４】
当該基材粒子の表面に存在する当該強カチオン性基の量は、特に限定されないが、該充填剤の乾燥重量あたりの好ましい下限は１μｅｑ／ｇ、好ましい上限は５００μｅｑ／ｇである。該強カチオン性基の量が１μｅｑ／ｇ未満であると、ＤＮＡの保持力が弱く分離性能が悪くなることがある。該強カチオン性基の量が５００μｅｑ／ｇを超えると、保持力が強くなり過ぎてＤＮＡを容易に溶出させることができず、分析時間が長くなりすぎる等の問題が生じることがある。
【００２５】
本明細書において、弱カチオン性基とは、ｐｋａが８以上のカチオン性基を意味する。すなわち、該弱カチオン性基は、水溶液のｐＨによる影響を受け、解離状態が変化する。すなわち、ｐＨが８より高くなると、該弱カチオン性基のプロトンは解離し、プラスの電荷を持たない割合が増える。逆にｐＨが８より低くなると、該弱カチオン性基はプロトン化し、プラスの電荷を持つ割合が増える。
【００２６】
当該弱カチオン性基としては、例えば、３級アミノ基、２級アミノ基、１級アミノ基などが挙げられる。なかでも、３級アミノ基であることが望ましい。
【００２７】
当該基材粒子の表面に存在する当該弱カチオン性基の量は、特に限定されないが、該充填剤の乾燥重量あたりの好ましい下限は０．５μｅｑ／ｇ、好ましい上限は５００μｅｑ／ｇである。該弱カチオン性基の量が０．５μｅｑ／ｇ未満であると、ＤＮＡの分離性能が向上しないことがある。該弱カチオン性基の量が５００μｅｑ／ｇを超えると、強カチオン性基と同様保持力が強くなり過ぎてＤＮＡを容易に溶出させることができず、分析時間が長くなりすぎる等の問題が生じることがある。
【００２８】
当該基材粒子の表面における強カチオン性基又は弱カチオン性基の量は、基に含まれる窒素原子を定量することにより測定することができる。窒素原子を定量する方法としては、例えばケルダール法が挙げられる。例えば、強カチオン性基と弱カチオン性基を含む基材粒子の場合、まず、疎水性架橋共重合体粒子と強カチオン性基の重合後に強カチオン性基に含まれる窒素を定量する。次いで、該重合体に弱カチオン性基を導入して、強カチオン性基と弱カチオン性基に含まれる窒素の合計量を定量する。求めた値から、弱カチオン性基に含まれる窒素量を算出することができる。このように基の窒素原子の定量値に基づいて、充填剤に含まれる強カチオン性基及び弱カチオン性基の量を上記範囲内に調整することができる。
【００２９】
本発明で用いるイオン交換クロマトグラフィー用充填剤の基材粒子は、その表面に当該強カチオン性基と当該弱カチオン性基とを有する重合体層を有するものであることが好ましい。また、該強カチオン性基と該弱カチオン性基とを有する重合体層において、該強カチオン性基と該弱カチオン性基とはそれぞれ独立した単量体に由来するものであることが好ましい。好適には、本発明で用いるイオン交換クロマトグラフィー用充填剤の基材粒子は、当該疎水性架橋重合体粒子と、該疎水性架橋重合体粒子の表面に共重合された該強カチオン性基を有する親水性重合体の層とからなる被覆重合体粒子の表面に、該弱カチオン性基が導入されたものである。
【００３０】
当該強カチオン性基を有する親水性重合体は、該強カチオン性基を有する親水性単量体から構成されるものであり、１種以上の該強カチオン性基を有する親水性単量体に由来するセグメントを含有すればよい。すなわち、該強カチオン性基を有する親水性重合体を製造する方法としては、該強カチオン性基を有する親水性単量体を単独で重合させる方法、２種以上の該強カチオン性基を有する親水性単量体を共重合させる方法、該強カチオン性基を有する親水性単量体と該強カチオン性基を有しない親水性単量体とを共重合させる方法、などが挙げられる。
【００３１】
当該強カチオン性基を有する親水性単量体としては、４級アンモニウム基を有するものであることが好ましい。具体的には、例えば、メタクリル酸エチルトリメチルアンモニウムクロリド、メタクリル酸エチルトリエチルアンモニウムクロリド、メタクリル酸エチルジメチルエチルアンモニウムクロリド、メタクリル酸エチルジメチルベンジルアンモニウムクロリド、アクリル酸エチルジメチルベンジルアンモニウムクロリド、アクリル酸エチルトリメチルアンモニウムクロリド、アクリル酸エチルトリエチルアンモニウムクロリド、アクリル酸エチルジメチルエチルアンモニウムクロリド、アクリルアミドエチルトリメチルアンモニウムクロリド、アクリルアミドエチルトリエチルアンモニウムクロリド、アクリルアミドエチルジメチルエチルアンモニウムクロリド、などが挙げられる。
【００３２】
当該疎水性架橋重合体の表面に該強カチオン性基を有する親水性重合体の層を形成させる方法としては、該疎水性架橋重合体の表面に該強カチオン性基を有する親水性単量体を共重合させる方法が挙げられる。
【００３３】
当該被覆重合体粒子の表面に弱カチオン性基を導入する方法としては、公知の方法を用いることができる。具体的には例えば、該弱カチオン性基として３級アミノ基を導入する方法としては、グリシジル基を有する単量体に由来するセグメントを有する疎水性架橋重合体粒子の表面に、該強カチオン性基を有する親水性単量体を共重合し、次いで該グリシジル基に３級アミノ基を有する試薬を反応させる方法；イソシアネート基を有する単量体に由来するセグメントを有する疎水性架橋重合体粒子の表面に、該強カチオン性基を有する親水性単量体を共重合し、次いで、該イソシアネート基に３級アミノ基を有する試薬を反応させる方法；当該疎水性架橋重合体粒子の表面において該強カチオン性基を有する親水性単量体と３級アミノ基を有する単量体とを共重合する方法；３級アミノ基を有するシランカップリング剤を用いて該強カチオン性基を有する親水性重合体の層を有する疎水性架橋重合体粒子の表面に３級アミノ基を導入する方法；カルボキシ基を有する単量体に由来するセグメントを有する疎水性架橋重合体粒子の表面に、該強カチオン性基を有する親水性単量体を共重合し、次いで、該カルボキシ基と３級アミノ基を有する試薬とを、カルボジイミドを用いて縮合させる方法；エステル結合を有する単量体に由来するセグメントを有する疎水性架橋重合体粒子の表面に、該強カチオン性基を有する親水性単量体を共重合し、該エステル結合部を加水分解し、次いで、該加水分解によって生成したカルボキシ基と３級アミノ基を有する試薬とを、カルボジイミドを用いて縮合させる方法、などが挙げられる。なかでも、グリシジル基を有する単量体に由来するセグメントを有する疎水性架橋重合体粒子の表面に該強カチオン性基を有する親水性単量体を共重合し、次いで、該グリシジル基に３級アミノ基を有する試薬を反応させる方法や、イソシアネート基を有する単量体に由来するセグメントを有する疎水性架橋重合体粒子の表面に、該強カチオン性基を有する親水性単量体を共重合し、次いで、該イソシアネート基に３級アミノ基を有する試薬を反応させる方法が好ましい。
【００３４】
グリシジル基やイソシアネート基等の反応性官能基に反応させる、３級アミノ基を有する試薬としては、３級アミノ基と該反応性官能基に反応可能な官能基とを有する試薬であれば、特に限定されない。当該反応性官能基に反応可能な官能基としては、例えば、１級アミノ基、水酸基等が挙げられる。なかでも、末端に１級アミノ基を有している基が好ましい。当該官能基を有する具体的な３級アミノ基を有する試薬としては、Ｎ，Ｎ−ジメチルアミノメチルアミン、Ｎ，Ｎ−ジメチルアミノエチルアミン、Ｎ，Ｎ−ジメチルアミノプロピルアミン、Ｎ，Ｎ−ジメチルアミノブチルアミン、Ｎ，Ｎ−ジエチルアミノエチルアミン、Ｎ，Ｎ−ジエチルアミノプロピルアミン、Ｎ，Ｎ−ジエチルアミノブチルアミン、Ｎ，Ｎ−ジエチルアミノペンチルアミン、Ｎ，Ｎ−ジエチルアミノヘキシルアミン、Ｎ，Ｎ−ジプロピルアミノブチルアミン、Ｎ，Ｎ−ジブチルアミノプロピルアミンなどが挙げられる。
【００３５】
当該基材粒子において、当該強カチオン性基、好ましくは４級アンモニウム塩と、当該弱カチオン性基、好ましくは３級アミノ基との相対的な位置関係は、該強カチオン性基が該弱カチオン性基よりも疎水性架橋重合体粒子の表面から遠い位置、即ち外側にあることが好ましい。例えば、該弱カチオン性基は疎水性架橋重合体粒子表面から３０Å以内にあり、該強カチオン性基は疎水性架橋重合体粒子表面から３００Å以内で、かつ、弱カチオン性基よりも外側にあることが好ましい。
【００３６】
本発明で用いるイオン交換クロマトグラフィー用充填剤に使用される当該基材粒子の平均粒子径は、特に限定されないが、好ましい下限は０．１μｍ、好ましい上限は２０μｍである。当該平均粒子径が０．１μｍ未満であると、カラム内が高圧になりすぎて分離不良を起こすことがある。当該平均粒子径が２０μｍを超えると、カラム内のデッドボリュームが大きくなりすぎて分離不良を起こすことがある。なお本明細書において、平均粒子径とは体積平均粒子径を示し、粒度分布測定装置（ＡｃｃｕＳｉｚｅｒ７８０／Ｐａｒｔｉｃｌｅ  Ｓｉｚｉｎｇ  Ｓｙｓｔｅｍｓ社製など）を用いて測定することができる。
【００３７】
本発明のイオン交換クロマトグラフィー用充填剤は、メチル化ＤＮＡ分離及び／又は検出用のイオン交換クロマトグラフィー用カラムの充填剤として好適に用いられる。本発明のイオン交換クロマトグラフィー用充填剤を用いたメチル化ＤＮＡの分離及び／又は検出において、対象となるサンプルＤＮＡは、生物由来のＤＮＡであっても化学合成ＤＮＡであってもよい。生物由来のＤＮＡは、生物から採取した検体（例えば、組織細胞、血球、又は尿、糞便、唾液、その他の体液や分泌液中に存在する細胞）、培養細胞株などから抽出、単離又は精製することができる。検体からのサンプルＤＮＡの抽出、単離又は精製には、市販のＤＮＡ抽出キット等の公知の手法を用いることができる。
【００３８】
サンプルＤＮＡは、本発明の充填剤を用いたクロマトグラフィーに供される前に、亜硫酸水素塩で処理され、さらに増幅される。ＤＮＡの亜硫酸水素塩処理の手順は周知であり、市販のキットを用いることもできる。ＤＮＡの増幅には、ＰＣＲ等の任意の核酸増幅方法を用いることができる。増幅反応の条件にも特に制限はなく、増幅対象のＤＮＡの配列、長さ、量などに応じて、公知の手法を適宜選択して用いることができる。
【００３９】
ＤＮＡを亜硫酸水素塩処理した場合、該ＤＮＡ中の非メチル化シトシンはウラシルに変換されるが、メチル化シトシンはシトシンのままである。該亜硫酸水素塩処理したＤＮＡをＰＣＲ等で増幅すると、非メチル化シトシン由来のウラシルは、さらにチミンに置き換わる。結果、メチル化ＤＮＡと非メチル化ＤＮＡとの間で、増幅産物におけるシトシンとチミンの存在比率に差が生じる。本発明の充填剤を用いたイオン交換クロマトグラフィーでは、この塩基の存在比率の違いを利用して、メチル化ＤＮＡと非メチル化ＤＮＡを分離及び／又は検出する。
【００４０】
本発明の充填剤を用いたメチル化ＤＮＡの分離及び／又は検出において、クロマトグラフィーカラムへの試料注入量は、特に限定されず、カラムのイオン交換容量及び試料濃度に応じて適宜調整すればよい。該クロマトグラフィーカラムへの試料注入量の下限は、０．１μＬが好ましく、０．５μＬがより好ましく、１μＬがさらに好ましい。該クロマトグラフィーカラムへの試料注入量の上限は、５０μＬが好ましく、２５μＬがより好ましく、１０μＬがさらに好ましい。例えば、当該クロマトグラフィーカラムの内径が２．１ｍｍから４．６ｍｍの場合には、該カラムへの試料注入量は０．１μＬから５０μＬがより好ましく、０．５μＬから２５μＬがより好ましく、１μＬから１０μＬがさらに好ましい。流速は０．１ｍＬ／ｍｉｎから３．０ｍＬ／ｍｉｎが好ましく、０．５ｍＬ／ｍｉｎから１．５ｍＬ／ｍｉｎがより好ましい。流速が遅くなると分離の向上が期待できるが、遅くなりすぎると分析に長時間を要したり、ピークのブロード化による分離性能の低下を招く恐れがある。逆に流速が早くなると分析時間の短縮という面においてはメリットがあるが、ピークが圧縮されるため分離性能の低下を招く。よって、流速は、カラムの性能によって適宜調整されるパラメータではあるが、上記の流速の範囲に設定することが望ましい。クロマトグラフィーにおける各サンプルの保持時間は、各サンプルについて予備実験を行うことによって予め決定することができる。送液方法はリニアグラジエント溶出法やステップワイズ溶出法など公知の送液方法を用いることができるが、本発明における送液方法としてはリニアグラジエント溶出法が好ましい。グラジエント（勾配）の大きさは、溶出に用いる溶離液を０％から１００％の範囲で、カラムの分離性能及び分析対象物（ＤＮＡ）の特性に合わせ適宜調整すればよい。
【００４１】
本発明の充填剤を用いたイオン交換クロマトグラフィーに使用される溶離液の組成としては、公知の条件を用いることができる。
【００４２】
当該溶離液に用いる緩衝液としては、公知の塩化合物を含む緩衝液類や有機溶媒類を用いることが好ましい。具体的には、例えば、トリス塩酸緩衝液、トリスとＥＤＴＡからなるＴＥ緩衝液、トリスとホウ酸とＥＤＴＡからなるＴＢＡ緩衝液などが挙げられる。
【００４３】
当該溶離液のｐＨは特に限定されないが、好ましい下限は５、好ましい上限は１０である。この範囲に設定することで、当該弱カチオン性基も効果的にイオン交換基（アニオン交換基）として働くと考えられる。該溶離液のｐＨのより好ましい下限は６、より好ましい上限は９である。
【００４４】
当該溶離液に含まれる塩としては、例えば、塩化ナトリウム、塩化カリウム、臭化ナトリウム、臭化カリウム等のハロゲン化物とアルカリ金属とからなる塩；塩化カルシウム、臭化カルシウム、塩化マグネシウム、臭化マグネシウム等のハロゲン化物とアルカリ土類金属とからなる塩；過塩素酸ナトリウム、過塩素酸カリウム、硫酸ナトリウム、硫酸カリウム、硫酸アンモニウム、硝酸ナトリウム、硝酸カリウム等の無機酸塩、などを用いることができる。また、酢酸ナトリウム、酢酸カリウム、コハク酸ナトリウム、コハク酸カリウム等の有機酸塩を用いることもできる。当該塩は、いずれか単独又は組み合わせて使用され得る。
【００４５】
当該溶離液の塩濃度としては、分析条件に合わせ適宜調整すればよいが、好ましい下限は１０ｍｍｏｌ／Ｌ、好ましい上限は２０００ｍｍｏｌ／Ｌであり、より好ましい下限は１００ｍｍｏｌ／Ｌ、より好ましい上限は１５００ｍｍｏｌ／Ｌである。
【００４６】
さらに、当該溶離液には、分離性能をさらに高めるためにアンチカオトロピックイオンが含まれている。アンチカオトロピックイオンは、カオロトピックイオンとは逆の性質を有し、水和構造を安定化させる働きがある。そのため、充填剤と核酸分子との間の疎水性相互作用を強める効果がある。本発明で用いるイオン交換クロマトグラフィーの主たる相互作用は静電的相互作用であるが、加えて、疎水性相互作用の働きも利用することにより分離性能が高まる。
【００４７】
当該溶離液に含まれるアンチカオトロピックイオンとしては、リン酸イオン（ＰＯ43-）、硫酸イオン（ＳＯ42-）、アンモニウムイオン（ＮＨ4+）、カリウムイオン（Ｋ+）、ナトリウムイオン（Ｎａ+）などが挙げられる。これらのイオンの組合せの中でも、硫酸イオン及びアンモニウムイオンが好適に用いられる。当該アンチカオトロピックイオンは、いずれか単独又は組み合わせて使用され得る。なお、当該アンチカオトロピックイオンの一部には、上記溶離液に含まれる塩や緩衝液の成分が含まれ得る。このような成分は、溶離液に含まれる塩としての性質又は緩衝能と、アンチカオトロピックイオンとしての性質の両方を具備するので、本発明には好適である。
【００４８】
当該溶離液に含まれるアンチカオトロピックイオンの濃度は、分析対象物に合わせて適宜調整すればよいが、アンチカオトロピック塩として２０００ｍｍｏｌ／Ｌ以下であることが望ましい。具体的には、アンチカオトロピック塩の濃度を０〜２０００ｍｍｏｌ／Ｌの範囲でグラジエント溶出させる方法を挙げることができる。従って、クロマトグラフィー分析開始時のアンチカオトロピック塩の濃度は０ｍｍｏｌ／Ｌである必要はなく、また、分析終了時のアンチカオトロピック塩の濃度も２０００ｍｍｏｌ／Ｌである必要はない。当該グラジエント溶出の方法は、低圧グラジエント法であっても高圧グラジエント法であってもよいが、高圧グラジエント法による精密な濃度調整を行いながら溶出させる方法が好ましい。
【００４９】
当該アンチカオトロピックイオンは、溶出に用いる溶離液のうちの１種のみに添加してもよいが、複数種の溶離液に添加してもよい。また当該アンチカオトロピックイオンは、充填剤とＤＮＡとの間の疎水性相互作用を強める効果又は緩衝能と、ＤＮＡをカラムから溶出させる効果との両方の役割を備えていても良い。
【００５０】
本発明の充填剤を用いたイオン交換クロマトグラフィーにおいて、ＤＮＡを分析する際のカラム温度は、好ましくは３０℃以上であり、より好ましくは４０℃以上であり、さらに好ましくは４５℃以上、なお好ましくは６０℃以上である。該カラム温度が３０℃未満であると、充填剤とＤＮＡとの間の疎水性相互作用が弱くなり、所望の分離性能を得ることが難しくなる。一方、該カラム温度がより高くなると、メチル化ＤＮＡと非メチル化ＤＮＡとがより明瞭に分離される。該カラム温度が６０℃以上では、メチル化ＤＮＡと非メチル化ＤＮＡとの間でのクロマトグラフィー検出シグナルのピークの保持時間の差が広がり、かつそれぞれのピークもより明瞭になるので、より精度のよいメチル化ＤＮＡの検出が可能になる。
【００５１】
一方、イオン交換クロマトグラフィーのカラム温度が９０℃以上になると、ＤＮＡの二本鎖が乖離するため分析上好ましくない。さらに、カラム温度が１００℃以上になると、溶離液の沸騰が生じる恐れがあるため分析上好ましくない。したがって、本発明で用いるイオン交換クロマトグラフィーにおいて、ＤＮＡを分析する際のカラム温度は、３０℃以上９０℃未満であればよく、好ましくは４０℃以上９０℃未満であり、より好ましくは４５℃以上９０℃未満であり、さらに好ましくは５５℃以上９０℃未満であり、さらに好ましくは６０℃以上９０℃未満であり、さらに好ましくは５５℃以上８５℃以下であり、なお好ましくは６０℃以上８５℃以下である。
【００５２】
上述したとおり、亜硫酸水素塩処理の後、増幅されたＤＮＡは、メチル化に応じた異なる配列を有する。当該異なる配列を有するＤＮＡを、本発明の充填剤を用いたイオン交換クロマトグラフィーにかけると、その配列の違いに応じた異なるシグナルを示すクロマトグラムが得られる。
【００５３】
より詳細には、本発明の充填剤を用いたイオン交換クロマトグラフィー分析において、ＤＮＡのメチル化率の高さは、検出シグナルのピークの保持時間に反映される。例えば、該イオン交換クロマトグラフィー分析において、１００％メチル化ＤＮＡと非メチル化ＤＮＡは、それぞれ独立のピークとして検出することができる（特許文献２参照）。好ましくは、１００％メチル化ＤＮＡのピークは、非メチル化ＤＮＡよりも短い保持時間で出現する。さらに、一部がメチル化したサンプルＤＮＡに由来するピークの保持時間は、そのメチル化率に応じて変動する。より詳細には、サンプルＤＮＡのメチル化率が高いほど、そのピークは１００％メチル化ＤＮＡのピークの方へ移動する、すなわち保持時間がより短くなる。
【００５４】
サンプルＤＮＡのメチル化は、本発明の充填剤を用いたクロマトグラフィーの検出シグナルを対照ＤＮＡについての検出シグナルと比較することで、評価することができる。対照ＤＮＡには、サンプルＤＮＡと配列が同じでかつメチル化率が既知（例えば、０％又は１００％）であるＤＮＡが用いられる。例えば、０％メチル化対照（陰性対照）及び１００％メチル化対照（陽性対照）との保持時間の違いに基づいて、サンプルＤＮＡのメチル化の有無やメチル化率を評価することができる。あるいは、既知の異なるメチル化率を有する複数のＤＮＡからのデータから作成した検量線に基づいて、サンプルＤＮＡのメチル化率を算出してもよい。
【００５５】
クロマトグラフィーによる検出シグナルのピークの有無を判定する方法としては、既存のデータ処理ソフトウェア、例えばＬＣｓｏｌｕｔｉｏｎ（島津製作所）、ＧＲＡＭＳ／ＡＩ（サーモフィッシャーサイエンティフィック社）、Ｉｇｏｒ  Ｐｒｏ（ＷａｖｅＭｅｔｒｉｃｓ社）などを用いたピーク検出が挙げられる。検出シグナルのピークが不明瞭な場合、該検出シグナルの微分値に基づいてピークの有無を検出してもよい。検出シグナルの微分値は、上述したデータ処理ソフトウェアで自動的に計算してもよく、又は表計算ソフト（例えば、Ｍｉｃｒｏｓｏｆｔ（登録商標）Ｅｘｃｅｌ（登録商標））などにより計算してもよい。
【実施例】
【００５６】
以下、実施例により本発明を詳細に説明するが、本発明は以下の実施例に限定されるものではない。【００５７】
実験１
実施例１、及び比較例１〜２の基材粒子を調製した。基材粒子の組成を表１に示す。該基材粒子をイオン交換クロマトグラフィー用充填剤として用いてＨＰＬＣ分析を行った。【００５８】
（１）イオン交換クロマトグラフィー用充填剤の製造
（１−１）疎水性架橋重合体粒子の調製
実施例１について、疎水性架橋重合体粒子の調製手順の詳細を以下に記載する。攪拌機付き反応器中の５重量％ポリビニルアルコール（日本合成化学社製）水溶液１０００ｍＬに、ジビニルベンゼン（和光純薬工業社製）２０ｇ、トリエチレングリコールジメタアクリレート（新中村化学工業社製）８０ｇ、トリメチロールメタントリアクリレート（新中村化学工業社製）３０ｇ、グリシジルメタクリレート（和光純薬工業社製）５０ｇ及び過酸化ベンゾイル（キシダ化学社製）０．８ｇを添加した。得られた混合物を攪拌しながら、窒素雰囲気下にて８０℃で１時間加熱し、重合体を生成した。なお、比較例１及び２については、単量体の組成を表１のとおり変更した以外は、同様の手順で疎水性架橋性重合体粒子を調製した。【００５９】
（１−２）強カチオン性基の導入
強カチオン性基を有する親水性単量体として、メタクリル酸エチルトリメチルアンモニウムクロリド（和光純薬工業社製）１００ｇをイオン交換水に溶解した。これを（１）の疎水性架橋性重合体粒子が入った反応器に添加して、攪拌しながら窒素雰囲気下にて８０℃で２時間加熱し、該疎水性架橋性重合体粒子と強カチオン性基を有する単量体を重合させた。得られた生成物を水及びアセトンで洗浄することにより、４級アンモニウム基を有する親水性重合体の層を表面に有する被覆重合体粒子を得た。重合反応に用いた強カチオン性基を有する親水性単量体の量、及び反応条件は、表１のとおりとした。【００６０】
（１−３）弱カチオン性基の導入
得られた被覆重合体粒子１０ｇをイオン交換水１００ｍＬに分散させ、反応前スラリーを準備した。次いで、このスラリーを撹拌しながら、弱カチオン性基を有する試薬であるＮ，Ｎ−ジエチルアミノプロピルアミン（和光純薬工業社製）を１０ｍＬ加え、７０℃で４時間反応させた。反応終了後、遠心分離機（日立製作所社製、「Ｈｉｍａｃ  ＣＲ２０Ｇ」）を用いて上澄みを除去し、イオン交換水で洗浄した。洗浄後、遠心分離機を用いて上澄みを除去した。このイオン交換水による洗浄を更に４回繰り返し、（２）の被覆重合体粒子の表面に弱カチオン性基を導入した。反応に用いた弱カチオン性基の量、及び反応条件は、表１のとおりとした。以上の手順で、表面に４級アンモニウム基と３級アミノ基とを有する疎水性架橋性重合体粒子からなる、基材粒子を得た。【００６１】
（１−４）粒子径の測定
得られた基材粒子の体積平均粒子径を、粒度分布測定装置（ＡｃｃｕＳｉｚｅｒ７８０／Ｐａｒｔｉｃｌｅ  Ｓｉｚｉｎｇ  Ｓｙｓｔｅｍｓ社製）を用いて測定した。【００６２】
【表１】
0006570795.tif 000002
【００６３】
（２）ＨＰＬＣによるメチル化ＤＮＡの検出
（２−１）サンプルＤＮＡの調製
ＦＡＭ１５０Ａ遺伝子のＤＮＡ配列（３８４ｂｐ、３９個のＣｐＧサイトを有する）を基に構築された合成ＤＮＡをサンプルＤＮＡとした。
サンプル１：メチル化ＤＮＡ：３９個のＣｐＧサイトの塩基は全てＣＧ
サンプル２：非メチル化ＤＮＡ：３９個のＣｐＧサイトの塩基は全てＴＧ
サンプル１、２は、それぞれ、ＦＡＭ１５０Ａ遺伝子のメチル化ＤＮＡ（メチル化率１００％）及び非メチル化ＤＮＡ（メチル化率０％）の亜硫酸水素塩処理物に相当する。これらサンプル１、２のＤＮＡ（１５ｎｇ／１００μＬ）をＰＣＲ増幅した反応液を、ＨＰＬＣ分析用の試料として用いた。【００６４】
（２−２）ＨＰＬＣ分析条件
（１）で得られた基材粒子をイオン交換クロマトグラフィー用充填剤として用いて、ＨＰＬＣ分析を行った。実施例１及び比較例１〜２の基材粒子をそれぞれ液体クロマトグラフィーシステムのステンレス製カラム（内径４．６ｍｍ×長さ２０ｍｍ）に充填した。得られたアニオン交換カラムを用いて、以下の条件でイオン交換クロマトグラフィーを行った。
システム：ＬＣ−２０Ａシリーズ（島津製作所社製）
溶離液：溶離液Ａ  ２５ｍｍｏｌ／Ｌトリス塩酸緩衝液（ｐＨ７．５）
溶離液Ｂ  ２５ｍｍｏｌ／Ｌトリス塩酸緩衝液（ｐＨ７．５）
＋２ｍｏｌ／Ｌ硫酸アンモニウム
分析時間：１５分
溶出法：以下のグラジエント条件により溶離液Ｂの混合比率を直線的に増加させた。
０分（溶離液Ｂ４０％）→１０分（溶離液Ｂ１００％）
流速：１．０ｍＬ／ｍｉｎ
検体：（１）に記載したサンプル１、２のＰＣＲ増幅産物
検体注入量：５μＬ
カラム温度：７０℃
検出波長：２６０ｎｍ【００６５】
（２−３）分析結果
実施例１及び比較例１〜２の基材粒子を用いたＨＰＬＣで得られたサンプルＤＮＡのクロマトグラムを図１に示す。実施例１の充填剤を用いたＨＰＬＣのクロマトグラムでは、比較例１〜２と比べて、メチル化ＤＮＡ（サンプル１）と非メチル化ＤＮＡ（サンプル２）のピークが明瞭であり、かつ両者の保持時間の差が増大した。下記式に従ってメチル化ＤＮＡと非メチル化ＤＮＡのピークの分離度を計算した。表２に示すとおり、実施例１の基材粒子を用いた場合、分離度が顕著に向上した。このことから、実施例１の基材粒子は、メチル化ＤＮＡと非メチル化ＤＮＡの分離性能が高いことが示された。
分離度＝  １．１８×（非メチル化ＤＮＡの保持時間−メチル化ＤＮＡの保持時間）÷（非メチル化ＤＮＡの半値幅＋メチル化ＤＮＡの半値幅）【００６６】
【表２】
0006570795.tif 000003
【００６７】
実験２
実験１（１）と同様の手順で、表３に示すとおり単量体（Ａ）の含有量の異なる基材粒子１〜３を製造した（体積平均粒子径１０μｍ）。得られた基材粒子をイオン交換クロマトグラフィー用充填剤として用いて、実験１（２）と同様の手順でＨＰＬＣ分析を行い、メチル化ＤＮＡと非メチル化ＤＮＡのピークの分離度を計算した。結果を表３に示す。【００６８】
【表３】
0006570795.tif 000004
【００６９】
表３に示すとおり、基材粒子１〜３を用いたＨＰＬＣでは、比較例１及び２と比べて、メチル化ＤＮＡと非メチル化ＤＮＡの分離度が向上した。このことから、基材粒子１〜３は、メチル化ＤＮＡと非メチル化ＤＮＡの分離性能が高いことが示された。 
【図１】
0006570795.tif 000005